(57)【特許請求の範囲】
【請求項１】
ｎ台（但しｎは２以上の整数）のカメラで撮影したｎ個の映像信号をフレーム単位で順次切り替えて得た一の映像信号を記録し、再生する映像信号記録再生装置であり、
前記一の映像信号にフレーム単位で付加される、前記ｎ台のカメラのうちの何れかを識別するための識別信号を前記一の映像信号と共に記録する記録部と、
前記一の映像信号を前記識別信号と共に再生する再生部とを備え、
前記一の映像信号を記録時とは異なる再生速度で再生する際、前記再生部が連続するｎフレーム単位で前記一の映像信号を再生するようにしたことを特徴とする映像信号記録再生装置。
【請求項２】
前記一の映像信号を記録時のｍ倍速（但しｍは２以上の整数）で再生する際、前記再生部は、連続するｎ×ｍフレームを１つの再生単位として、連続する各再生単位における先頭のｎフレームのみを再生するようにしたことを特徴とする請求項１記載の映像信号記録再生装置。
【発明の詳細な説明】
【０００１】
【発明の属する技術分野】
本発明は、監視用カメラと共に使用する映像信号記録再生装置に関する。
【０００２】
【従来の技術】
複数の監視ポイントの夫々に監視用カメラを設置し、夫々の監視用カメラで撮影した映像信号を順番に切り替えて記録再生装置で記録し、再生時には特定のカメラで記録した映像信号のみを選択的にモニタ画面に出力できるようにした監視用カメラシステムが知られている。
【０００３】
このような監視用カメラシステムにおいて、例えば、３台の監視用カメラから出力される映像信号を記録する場合、１フレーム目は第１のカメラ、２フレーム目は第２のカメラ、３フレーム目は第３のカメラの如く、フレーム単位で記録する映像信号のカメラを切り替え、４フレーム目からは再度第１のカメラに戻るという処理を繰り返すことにより、３台の監視用カメラからの映像信号を１つの記録装置で記録することができる。
【０００４】
その際、各記録フレームには、何れの監視用カメラで撮影したかを示すフラグが付されており、この映像信号を再生する際には、所望の監視ポイントにおける映像信号をフラグに基づき抽出することで、複数の監視ポイントにおける監視映像を選択的に確認することが可能となる。
【０００５】
図５は、３台の監視用カメラから出力される映像信号をフレーム単位で切り替えて記録媒体に記録し、再生した映像信号から所望の監視ポイントにおける映像信号のみを選択してモニタ出力する際の動作を説明するための図である。図示の如く、例えば、第１のカメラからの映像信号のみを選択的に出力する際には、連続して再生される映像信号の中から第１のカメラによって撮影されたフレームのみを抽出し、これらのフレームを３回ずつ連続してモニタ出力する。従って、この記録装置が秒間３０フレーム分の映像信号を記録している場合には、１秒間に１０回の頻度で画面が更新されることになる。
【０００６】
【発明が解決しようとする課題】
ところが、このようにして記録される映像信号を変速再生させた場合、画像の更新回数が極端に減ってしまったり、最悪の場合、画像が全く出力されなくなる可能性がある。
【０００７】
図６は、このようにして記録した映像信号を６倍速再生させた際の動作を示す図である。通常、６倍速再生を行う場合、連続するフレーム画像における６枚に１枚単位でフレーム画像を再生し、これをモニタに出力する。ところが、このように６枚に１枚毎のフレームを再生していくと、いずれか１つのカメラで撮影した映像信号のみしか再生されないことになり、例えば、第２のカメラや第３のカメラで撮影した映像信号を出力させようとしても、全く画面が更新されないことになる。
【０００８】
つまり、使用カメラ台数の自然数倍の速度で変速再生を行うと、特定の１台のカメラで撮影した映像信号のみが再生され、他のカメラで撮影した映像信号を出力できなくなるという問題があった。なお、このように、使用カメラ台数の自然数倍の速度で変速再生を行う場合であっても、再生するフレームの番号を変えれば他のカメラで撮影した映像信号を確認することができる。つまり、第２のカメラで撮影した映像信号を確認したければ、第２のカメラで撮影した映像信号のみを再生させ、第３のカメラで撮影した映像信号を確認したければ、第３のカメラで撮影した映像信号のみを再生させれば良い。
【０００９】
ところが、確認すべき映像信号に応じて再生する映像フレームを変更するとその制御が煩雑となってしまうという問題がある。また、どのカメラで撮影した映像を出力するかを切り替える装置と記録再生装置とが一体の構成であればこのような制御を行うことも可能であると思われるが、それぞれが別の装置である場合には、その制御の煩雑さは一層増すものと思われる。
【００１０】
本発明は、このような問題点に鑑みなされたものであり、複数のカメラで撮影した映像信号を順番に切り替えて記録した映像信号を変速再生させる場合でも、その倍速数に拘らず、画面更新の早い良好な映像信号をモニタ出力することのできる映像信号記録再生装置を提供することを目的とする。
【００１１】
【課題を解決するための手段】
以上の課題を解決するために、本発明に係る映像信号記録再生装置は、
ｎ台（但しｎは２以上の整数）のカメラで撮影したｎ個の映像信号をフレーム単位で順次切り替えて得た一の映像信号を記録し、再生する映像信号記録再生装置であり、
前記一の映像信号にフレーム単位で付加される、前記ｎ台のカメラのうちの何れかを識別するための識別信号を前記一の映像信号と共に記録する記録部と、
前記一の映像信号を前記識別信号と共に再生する再生部とを備え、
前記一の映像信号を記録時とは異なる再生速度で再生する際、前記再生部が連続するｎフレーム単位で前記一の映像信号を再生するようにしたことを特徴とするものである。
【００１２】
また、本発明に係る映像信号記録再生装置は、
前記一の映像信号を記録時のｍ倍速（但しｍは２以上の整数）で再生する際、前記再生部は、連続するｎ×ｍフレームを１つの再生単位として、連続する各再生単位における先頭のｎフレームのみを再生するようにしたことを特徴とするものである。
【００１３】
【発明の実施の形態】
以下、本発明の実施の形態につき、好ましい実施例により詳細に説明する。
図１は、本発明の実施例に係る映像信号記録再生装置を説明するためのブロック図であり、ここではまず、本映像信号記録再生装置１０がフレームスイッチャ４、記録再生部６、制御部７を備え、外部接続されるｎ台（ｎは２以上の整数であり、ここで示す例では３台）のカメラからの映像信号及び記録再生部６で再生した映像信号を外部のモニタ５で表示できるようにした際の実施例について説明する。
【００１４】
ここで、１は第１の監視ポイントに設置される第１のカメラ、２は第２の監視ポイントに設置される第２のカメラ、３は第３の監視ポイントに設置される第３のカメラであり、第１乃至第３のカメラからは各監視ポイントにおける映像信号が出力されるものとする。
【００１５】
また、４は監視映像の記録時には、各カメラから出力される映像信号を選択的にモニタ５に出力すると共に、各カメラから出力される映像信号をフレーム単位で切り替えて記録再生部６に出力し、監視映像の再生時には、記録再生部６から再生される映像信号をモニタ５に出力するフレームスイッチャである。
【００１６】
また、６はフレームスイッチャ４からの映像信号を内部のハードディスクに記録すると共に、ハードディスクから再生した映像信号をフレームスイッチャ４に出力する記録再生部、７はフレームスイッチャ４及び記録再生部６の動作制御を行う制御部である。
【００１７】
以下、本発明に係る映像信号記録再生装置の動作について説明する。
まず、監視映像の記録時には、制御部７を介して入力されるユーザの指示に基づき、所望のカメラで撮影した映像信号がフレームスイッチャ４を通じてモニタ５に出力され、また、各カメラで撮影した映像信号をフレーム単位で切り替えたものが記録再生部６に出力される。
【００１８】
なお、その際、フレームスイッチャ４は、各フレームの映像信号が何れのカメラで撮影されたものであるか再生時に識別できるように、各フレーム映像信号の垂直ブランキング期間にカメラ番号を識別するための情報を付加した上で、これを記録再生部６に出力する。そして、記録再生部６は、記録している映像信号が何台のカメラから振り分けられた映像信号であるかを検出し、このカメラ台数を示す識別信号と、第１のカメラ１から出力されたフレームを検索するために必要な識別信号とを映像信号と共に記録する。
【００１９】
一方、監視映像の通常再生時には、記録再生部６が再生した映像信号はフレームスイッチャ４に出力され、フレームスイッチャ４は、ユーザの指示に基づき所望のカメラで撮影した映像信号のみをその内部で抽出する。そして、図５で示した動作と同様に、不足するフレーム部分に関しては、前のフレーム映像を繰り返し出力することにより、不足フレーム部分を補う。
【００２０】
また、監視映像の変速再生時には、図２で示す如く映像信号を再生する。なお、ここでは、６倍速再生をさせた際の動作を示す。まず、記録再生部６は、識別信号に基づき第１のカメラ１により撮影されたフレームを検索し、第１のカメラ１により撮影されたフレームを含み、これに続く３枚のフレーム映像を再生する。つまり、使用しているカメラの台数に相当する数のフレーム映像を再生する。
【００２１】
そして、その後の１５枚の映像信号を再生することなく、１９フレーム目から２１フレーム目までのフレーム映像を再生する。つまり、使用しているカメラの台数が３台であり、再生時の倍速数が６である場合には、第１のカメラで撮影したフレームを先頭フレームとする１８（３×６）フレームにおける最初の３フレームのみを再生し、以後、これに続く各１８フレームの最初の３フレームのみを順次再生していく。
【００２２】
そして、フレームスイッチャ４は、このようにして再生された映像信号のうち、ユーザの指示に基づき選択された所望のカメラで撮影した映像信号のみを抽出し、更に、図５で示した動作と同様に、不足するフレーム部分を前のフレーム映像で補ってモニタ５に出力する。
【００２３】
従って、何れのカメラで撮影した映像信号をモニタ５に出力する際も、記録再生部６における再生制御を変更することなく、且つ、画面更新の早い良好な映像信号をモニタ５に出力することが可能となる。
【００２４】
また、図３は４倍速再生をさせた際の動作を示す図であり、この４倍速再生時には、記録再生部６は、第１のカメラで撮影したフレームを先頭フレームとする１２（３×４）フレームにおける最初の３フレームのみを再生し、以後、これに続く各１２フレームの最初の３フレームのみを順次再生していく。
【００２５】
なお、以上に示す実施例では、使用するカメラの台数が３台で、倍速数が６倍又は４倍である場合に、連続する１８枚又は１２枚のフレーム画像における先頭の３枚ずつを選択的に再生させた例を示したが、通常再生時のデータ再生レートに比して高いデータ再生レートにて映像信号の再生を行える場合には、より多くのフレーム画像を再生させても良い。
【００２６】
例えば、３台のカメラを使用している状態で、通常再生時の３倍のデータレートで映像信号を再生できるのであれば、１台のカメラからの映像信号のみを選択した際にフレーム数が不足することはない。例えば、図２で示す例では、１８フレームのうちの１フレーム目から３フレーム目までの３枚のフレームに続き、７フレーム目から９フレーム目までの３枚のフレーム、これに続き１３フレーム目から１５フレーム目までの３枚のフレームを順に再生すればフレーム数が不足することはなく、記録時のフレーム枚数と同一数だけ画面更新が行われる映像信号をモニタ５に出力することができる。
【００２７】
また、図３で示す例では、１２フレームのうちの１フレーム目から９フレーム目までの９枚のフレームを再生すれば、フレーム数が不足することはなく、記録時のフレーム枚数と同一数だけ画面更新が行われる映像信号をモニタ５に出力することができる。
【００２８】
なお、本発明に係る映像信号記録再生装置は、図４に示す如く構成しても構わない。つまり、記録再生部６と制御部７とを備え、外部接続されるフレームスイッチャ４と共に使用するよう構成しても構わない。そして、図４に示す如く構成した場合にも、記録再生部６とフレームスイッチャ４とを独立して制御することにより、図１に示される映像信号記録再生装置と同様に、画面更新の早い良好な映像信号を出力することが可能となる。
【００２９】
また、以上の実施例においては、記録した映像信号を通常の再生速度よりも高速で再生させた高速再生について説明したが、通常の再生速度よりも低速となるスロー再生やコマ送り再生を行う際、更には、静止画再生を行う際も同様に、使用するカメラの台数分だけ連続してフレーム映像信号を再生することにより、画面更新の早い良好な映像信号を出力することが可能となる。
【００３０】
また、以上の実施例では、３台のカメラから出力される映像信号をフレームスイッチャ４がフレーム単位で切り替えて記録再生部６に出力した際の動作について説明したが、長時間記録を実現するために、例えば、各カメラから出力される映像信号を１秒間に１フレーム分ずつ選択出力し、記録再生部５では、１秒間に３フレーム分の映像信号のみしか記録しないという場合も考えられる。
【００３１】
しかし、このような場合であっても、使用しているカメラの台数に相当する数のフレーム単位で映像信号を再生し、フレームスイッチャ４で既に間引かれているフレーム数を考慮したうえで、次に再生するフレーム番号を決定することにより画面更新の早い良好な映像信号を出力することが可能となる。
【００３２】
【発明の効果】
本願発明によれば、ｎ台のカメラで撮影し、フレーム単位で順番に切り替えて得た一の映像信号を記録時とは異なる再生速度で再生する際、連続するｎフレーム単位で前記一の映像信号を再生するため、このような映像信号をスイッチャを介してモニタ出力する際に、画面更新回数が多く、良好な映像信号を出力できるという効果を奏する。
【図面の簡単な説明】
【図１】本発明の実施例に係る映像信号記録再生装置を説明するためのブロック図である。
【図２】本発明の実施例に係る映像信号記録再生装置において６倍速再生をさせた際の動作を示す図である。
【図３】本発明の実施例に係る映像信号記録再生装置において４倍速再生をさせた際の動作を示す図である。
【図４】本発明の実施例に係る映像信号記録再生装置の他の構成を説明するための図である。
【図５】３台のカメラで撮影した映像信号を切り替えて記録し、これを再生させた際の動作を示す図である。
【図６】従来の変速再生方法を説明するための図である。
【符号の説明】
１…第１のカメラ
２…第２のカメラ
３…第３のカメラ
４…フレームスイッチャ
５…モニタ
６…記録再生部
７…制御部
１０、２０…本映像信号記録再生装置
【図１】
0003940985.tif 000002
【図２】
0003940985.tif 000003
【図３】
0003940985.tif 000004
【図４】
0003940985.tif 000005
【図５】
0003940985.tif 000006
【図６】
0003940985.tif 000007